(57)【要約】      （修正有）【課題】  軽トラックの荷台に簡易シートを設置する際、手間を省力化し、且つシートのたわみ、雨水、積雪、風等からシートを補助し、収納の際一ヵ所に収めることで荷物の積み下ろしの障害を最小限になるようにした軽トラック荷台用シート補助具の提供。【解決手段】  軽トラック荷台簡易シート１を設置するさいまず収納固定バンドを外し、本体主軸８を荷台中央まで移動し主軸を後方に向けて主軸の脚１０、１１を左右と下方に広げ荷台ゲート上部と床面に固定する、後方には伸び軸９を引き伸ばし第一ストッパー１３ａと第二ストッパー１３ｂとの二つを使い分ける、簡易シート１を上から掛けシート固定用ゴムバンド２で固定し完了、補助装置が一体になっているため組立てる手間がなく単に広げて固定するだけで目的を達成する。【選択図】  図４
0003118103.tif 000002
【実用新案登録請求の範囲】
【請求項１】
軽トラック荷台用シート補助装置であり、本体を車輌に取り付けたまま、装着・収納ができるので装着収納に要する時間が短縮できる。また、本体を単一した事で一カ所に収納できるシート補助装置である。
【考案の詳細な説明】
【技術分野】
【０００１】本考案は荷台シートの補助装置に関するものである
【背景技術】
【０００２】荷台シート補助具装着収納時に分解や組立をし各部分を別々に保管しているため荷物の積み下ろしの障害になっている。
【考案の開示】
【考案が解決しようとす課題】
【０００３】各部分の保管する場所によって荷物の積載時に障害になっていたが各部分を一体化することで一カ所に収納ができ荷台前方の運転席後方外壁に収納することで前述の欠点を解決しようとするものである。
【課題を解決するための手段】
【０００４】本考案は軽トラック荷台用シート装着時に運転席後方外壁に取り付けたシート補助具本体の一部レール内を本体主軸を荷台中央まで移動し本体主軸に装備している左右脚と下方の脚を左右、下方に広げ荷台左右ゲート上部に固定、下方脚は下におろし荷台床に固定。主軸内に収納されている伸び軸を後に引き伸ばし、上から荷台用シートを被せてシート固定用ゴムバンドを荷台フックに掛けシート装着完了する。補助具本体と各部分を一体化することで前に述べた問題点を解決している。
【考案の効果】
【０００５】上述の様に、本考案のシート補助具は一体化のため、分解することなく収納装着でき手間の省力と収納スペースを一カ所にでき荷物の積み下ろし時の障害を最小限にできる。また、本体構造は簡単な構成であり安価に制作できる。
【考案を実施するための最良の形態】
【０００６】補助具本体のレール部分を運転席背後外壁部分左側より中央に向けて取り付け、また本体収納固定金具を運転席背後外壁の車体右側に取り付ける固定金具には固定用ゴムバンドを装着しておく、補助具本体を荷台に装着する時は収納固定金具のゴムバンドを外し本体主軸が取り付けたレール内を車体中央部まで移動し本体主軸を後方に向けて主軸後部両側面と下部三方向に広がる脚を設け広げた脚先端を荷台ゲート上部にはめ込み固定、下部脚は荷台床面に接地する。尚、主軸内側に収納していた伸び軸を後方に引き伸ばし、縦方向と横方向の二方向自在接手を設け下向きに下げ荷台後部ゲート上部にかける。また、自在接手部を一部主軸に残したままの状態でも使用できる。
【実施例】
【０００７】以下、添付図に従って実施例を説明する、本体は一部部品をのぞいて計量アルミ材を使用、アルミ以外の部品は次のとおり添付図４の１７ローラー、Ｃ、１４、１５、１６、１８、１９の各ボトル、ナットと図１の２ゴムバンド、図５のＢ固定用ゴムバンド、図５のＣクッションゴム、なお本体は収納固定具をのぞいて一体化した。荷台に装着するには１２固定具のゴムバンドＢを外し１７のローラー部を車体左側より中央まで７のレール内移動し本体主軸を後方向に向け左右脚を広げ下方脚を下げる、次に主軸内に収納されている伸び軸９を引き伸ばし最初のロックまで伸ばしてそのまま使用する、図２の方法、また、図３のように上下左右自在接手部１３まで伸ばす二つ目のロック２３まで伸びたら９の伸び軸を左右に広げ後方ゲート５上部にかけ使用する方法ができる。上からシートをかけて２のシート固定用ゴムバンドをフック３にかけ固定し装着完了する。収納は装着手順の逆方法である。
【図面の簡単な説明】
【０００８】
【図１】本考案の装着完了の一実施例を左後方からの見た斜視図である。
【図２】シート補助具本体を軽トラック荷台に装着した実施例で一段目ロック状態の斜視図である。
【図３】図２の状態から２２のロックを解除し二段目２３ロックまで後方へ伸び軸９を伸ばし左右に広げて後部ゲート上部に装着した斜視図である。
【図４】シート補助具本体の構成部品を図示したものである。
【図５】図４の８と１３の拡大図で特に２２、２３と１３ａ、１３ｂロック装置部分を図示したものである
【図６】補助具本体を運転席後部外壁に収納された、後方から見た図面と収納金具を外壁に取り付けた状態図である。
【符号の説明】
【０００９】  １、    シート本体
２、    シート固定用ゴムバンド
３、    トラック荷台固定用ゴムバンド
４−１、トラック荷台左横ゲート
４−２、トラック荷台右横ゲート
５、    トラック荷台後部ゲート
６、    軽トラック車体
７、    シート補助具本体を支えるレール
８、    補助具の主軸
９、    主軸から後方へ伸びる伸び軸
１０、  左右脚
１１、  下部脚
１２、  収納金具
１３、  上下、左右、自在接手部
１３ａ、伸び軸第一ストッパー穴
１３ｂ、伸び軸第二ストッパー穴
１４、  左右脚取り付けボルト
１５、  下部脚取り付けボルト
１６、  １７ローラー固定用ナット
１７、  本体主軸移動用ローラー
１８、  自在接手接続ボルト
１９、  自在接手接続ボルト
２０、  変形座金
２１、  変形座金
２２、  伸び軸第一ストッパーロック
２３、  伸び軸第二ストッパーロック
Ａ、    本体収納金具固定取り付けリベット
Ｂ、    本体収納金具固定ゴムベルト
Ｃ、    本体収納金具衝撃吸収ゴム
【図１】
0003118103.tif 000003
【図２】
0003118103.tif 000004
【図３】
0003118103.tif 000005
【図４】
0003118103.tif 000006
【図５】
0003118103.tif 000007
【図６】
0003118103.tif 000008
【手続補正書】
【提出日】平成17年9月29日(2005.9.29)
【手続補正１】
【補正対象書類名】実用新案登録請求の範囲
【補正対象項目名】全文
【補正方法】変更
【補正の内容】
【実用新案登録請求の範囲】
【請求項１】
本考案は軽トラック荷台用シート補助具において
（１）  運転席後方外壁に取り付けたシート補助具本体の一部レール内を荷台中央部まで移動する装置
（２）  本体を後方に向けるとその場でレールと本体がロックする装置
（３）  本体には左右に開く脚があり脚先端は荷台左右ゲート上部に固定できる装置
（４）  下方向の脚が荷台床面に固定できる装置
（５）  本体に収納されている伸び軸が後方へ伸び二段ロックすることができる装置
（６）  伸び軸一段目ロックは後方に伸ばしたまま二段目は後方に伸びた軸が左右に広がり下方に下がり荷台後方ゲート上部に固定できる装置
以上の装置を備える軽トラック荷台用シート補助具
【手続補正２】
【補正対象書類名】明細書
【補正対象項目名】０００１
【補正方法】変更
【補正の内容】
【０００１】  本考案は荷台用シートの補助具に関する物である
【手続補正３】
【補正対象書類名】明細書
【補正対象項目名】０００４
【補正方法】変更
【補正の内容】
【０００４】  本考案は軽トラック荷台用シート装着時に運転席後方外壁に取り付けたシート補助具本体の一部レール内を本体主軸を荷台中央まで移動し本体主軸に装備している左右脚と下方の脚を左右、下方に広げ荷台左右ゲート上部に固定、下方脚は下におろし荷台床に固定する主軸内に収納されている伸び軸を後に引き伸ばし、二段階のロック装置を使い分けて上から荷台用シートを被せてシート固定用ゴムバンドを荷台フックに掛けシート装着完了する、補助具本体と各部分を一体化することで前に述べた問題点を解決している。
【手続補正４】
【補正対象書類名】明細書
【補正対象項目名】０００５
【補正方法】変更
【補正の内容】
【０００５】  上述の様に、本考案のシート補助具は一体化のため分解することなく収納装着でき手間の省力と収納スペースを一カ所にでき荷物の積み下ろし時の障害を最小限にできる又本体構造は簡単な構成であり安価に制作できる。
【手続補正５】
【補正対象書類名】明細書
【補正対象項目名】０００６
【補正方法】変更
【補正の内容】
【０００６】  補助具本体のレール部分を運転席後方外壁左側より中央に向けて取り付け、また本体収納固定金具を運転席後方外壁の車体右側に取り付ける固定金具には固定用ゴムバンドを装着しておく、補助具本体を荷台に装着する時は収納固定金具のゴムバンドを外し本体主軸に取り付けたレール内を車体中央部まで移動し本体主軸を後方に向けて主軸後部両側面と下部との三方向に広がる脚を設け広げた脚先端を荷台左右ゲート上部にはめ込み固定、下部脚は荷台床面に固定する又主軸内側に収納していた伸び軸を後方に引き伸ばし縦方向と横方向の二方向自在接手を設け主軸と伸び軸には二段階のロックがあり一段目ロックと二段目ロックとに使い分ける、一段目は後に伸びたまま二段目は後方が左右に開き下向きになり後部ゲート上部に固定できる装置である。
【手続補正６】
【補正対象書類名】明細書
【補正対象項目名】０００７
【補正方法】変更
【補正の内容】
【０００７】  以下、添付図に従って実施例を説明する、本体は一部部品をのぞいてアルミ材を使用し補助具本体の軽量化をしている、図１の２シート固定用ゴムバンド、図２のＢ本体収納固定バンド、図２のＣ本体収納時クッションマット、なお本体は収納固定金具図２の１２をのぞいて一体化している、補助具を装着するには本体収納固定ゴムバンドＢを外しレール７をローラー１７部分を車体中央まで移動し本体主軸を後方に向けローラー部分がロックする又本体主軸の左右脚１０を広げ荷台左右ゲート４−１、４−２の上部に固定、下方脚１１は下げ荷台床面に固定、本体主軸８内に収納されている伸び軸９を後方に引き伸ばし一段目ロックは１３ａまでのばしそのまま使用する図３の状態また図４の用に二段目ロック１３ｂまで伸ばし９の伸び軸を上下左右自在接手部１３までのびた状態で９を左右に広げ下方に下げ後部ゲート５の上部に固定し使用する事ができる図４の状態、図３、図４の状態に上からシートを被せて固定用ゴムバンドをロープ固定用フック３にかけ固定し装着完了する、またシート収納時の手順は装着時の逆の方法である。
【手続補正７】
【補正対象書類名】明細書
【補正対象項目名】０００９
【補正方法】変更
【補正の内容】
【０００９】１        シート本体
２        シート固定用ゴムバンド
３        トラック荷台ロープ固定用フック
４−１    トラック荷台左横ゲート
４−２    トラック荷台右横ゲート
５        トラック荷台後部ゲート
６        軽トラック車体鋼板
７        補助具本体を支えるレール
８        補助具本体主軸
９        主軸から後方へ伸びる伸び軸
１０      左右脚
１１      下部脚
１２      収納金具
１３      上下、左右、自在接手部
１３ａ    伸び軸第一ストッパー穴
１３ｂ    伸び軸第二ストッパー穴
１４      左右脚取り付けボルト
１５      下部脚取り付けボルト
１６      １７ローラー固定用ナット
１７      本体主軸移動用ローラー
１８      自在接手接続ボルト
１９      自在接手接続ボルト
２０      変形座金
２１      変形座金
２２      伸び軸第一ストッパーロックスプリング
２３      伸び軸第二ストッパーロックスプリング
Ａ        本体収納金具固定取り付けリベット
Ｂ        本体収納金具固定ゴムベルト
Ｃ        本体収納金具衝撃吸収マット
Ｄ        本体レール車体取り付けボルト
【手続補正８】
【補正対象書類名】図面
【補正対象項目名】図２
【補正方法】変更
【補正の内容】
【図２】
0003118103.tif 000009